(57)【要約】      （修正有）【課題】メディアゲートウェイ（ＭＧ）を用いた通信設備において、ＭＧ増設時等におけるコスト削減、稼動削減を可能とする。【解決手段】１つ又は複数のメディアゲートウェイ部１２０を含むメディアゲートウェイ装置１００と、メディアゲートウェイ制御装置１３とを備える通信システムにおいて、メディアゲートウェイ装置は、メディアゲートウェイ制御信号を受信し、メディアゲートウェイ制御信号の内容と、メディアゲートウェイ部の状態とに基づいて、１つのメディアゲートウェイ部を選択し、選択したメディアゲートウェイ部にメディアゲートウェイ制御信号を送信するメディアゲートウェイ振り分け手段１１０と、データパケットを受信したときに、データパケットの内容に基づいて、データパケットの処理を担当するメディアゲートウェイ部を選択し、選択したメディアゲートウェイ部に前記データパケットを送信するデータパケット振り分け手段１３０とを備える。【選択図】図７
2014155013.tif 000002
【特許請求の範囲】
【請求項１】
１つ又は複数のメディアゲートウェイ部を含むメディアゲートウェイ装置と、メディアゲートウェイ制御装置とを備える通信システムであって、
前記メディアゲートウェイ装置は、
前記メディアゲートウェイ制御装置からメディアゲートウェイ制御信号を受信し、当該メディアゲートウェイ制御信号の内容と、前記１つ又は複数のメディアゲートウェイ部の状態とに基づいて、１つのメディアゲートウェイ部を選択し、選択したメディアゲートウェイ部に前記メディアゲートウェイ制御信号を送信するメディアゲートウェイ振り分け手段と、
データパケットを受信したときに、当該データパケットの内容に基づいて、当該データパケットの処理を担当するメディアゲートウェイ部を選択し、選択したメディアゲートウェイ部に前記データパケットを送信するデータパケット振り分け手段と
を備えることを特徴とする通信システム。
【請求項２】
前記メディアゲートウェイ振り分け手段は、
利用可能なメディアゲートウェイ部の種別、及びメディアゲートウェイ毎の利用リソースの情報を保持しており、当該情報と前記メディアゲートウェイ制御信号の内容とに基づいてメディアゲートウェイ部を選択する
ことを特徴とする請求項１に記載の通信システム。
【請求項３】
前記データパケット振り分け手段は、
メディアゲートウェイ部と、データパケットにおける所定の情報とを対応付けた管理テーブルを保持しており、
前記データパケットを受信したときに、前記管理テーブルを参照することにより、当該受信したデータパケットの前記所定の情報に該当するメディアゲートウェイ部を識別し、当該メディアゲートウェイ部に前記受信したデータパケットを送信する
ことを特徴とする請求項１又は２に記載の通信システム。
【請求項４】
前記メディアゲートウェイ装置は、
メディアゲートウェイ部で処理されたデータパケットの宛先情報に基づいて、当該データパケットを適切な方路へ送出する回線集約手段
を更に備えることを特徴とする請求項１ないし３のうちいずれか１項に記載の通信システム。
【請求項５】
前記メディアゲートウェイ装置は、現用系のメディアゲートウェイ部と予備系のメディアゲートウェイ部を備え、前記現用系のメディアゲートウェイ部において障害が発生した場合に、
前記メディアゲートウェイ振り分け手段は、当該メディアゲートウェイ部を選択候補から除外し、前記予備系のメディアゲートウェイ部を現用系に移行させ、
前記データパケット振り分け手段は、障害の発生したメディアゲートウェイ部をデータパケットの処理担当候補から除外する
ことを特徴とする請求項１ないし４のうちいずれか１項に記載の通信システム。
【請求項６】
前記メディアゲートウェイ振り分け手段は、複数のメディアゲートウェイ制御装置と接続される
ことを特徴とする請求項１ないし５のうちいずれか１項に記載の通信システム。
【請求項７】
１つ又は複数のメディアゲートウェイ部を含むメディアゲートウェイ装置と、メディアゲートウェイ制御装置とを備える通信システムにおける前記メディアゲートウェイ装置であって、
前記メディアゲートウェイ制御装置からメディアゲートウェイ制御信号を受信し、当該メディアゲートウェイ制御信号の内容と、前記１つ又は複数のメディアゲートウェイ部の状態とに基づいて、１つのメディアゲートウェイ部を選択し、選択したメディアゲートウェイ部に前記メディアゲートウェイ制御信号を送信するメディアゲートウェイ振り分け手段と、
データパケットを受信したときに、当該データパケットの内容に基づいて、当該データパケットの処理を担当するメディアゲートウェイ部を選択し、選択したメディアゲートウェイ部に前記データパケットを送信するデータパケット振り分け手段と
を備えることを特徴とするメディアゲートウェイ装置。
【請求項８】
１つ又は複数のメディアゲートウェイ部を含むメディアゲートウェイ装置と、メディアゲートウェイ制御装置とを備える通信システムにおいて、前記メディアゲートウェイ制御装置が実行するメディアゲートウェイ振り分け方法であって、
前記メディアゲートウェイ制御装置からメディアゲートウェイ制御信号を受信し、当該メディアゲートウェイ制御信号の内容と、前記１つ又は複数のメディアゲートウェイ部の状態とに基づいて、１つのメディアゲートウェイ部を選択し、選択したメディアゲートウェイ部に前記メディアゲートウェイ制御信号を送信するメディアゲートウェイ振り分けステップと、
データパケットを受信したときに、当該データパケットの内容に基づいて、当該データパケットの処理を担当するメディアゲートウェイ部を選択し、選択したメディアゲートウェイ部に前記データパケットを送信するデータパケット振り分けステップと
を備えることを特徴とするメディアゲートウェイ振り分け方法。
【発明の詳細な説明】
【技術分野】
【０００１】
本発明は、ＳＩＰプロトコル等による呼制御信号を利用して通話路を確立し、通話路制御にメディアゲートウェイ（ＭＧ）を利用するネットワークに関連するものである。
【背景技術】
【０００２】
ＳＩＰプロトコル等の呼制御信号を利用し、通話路制御にＭＧを利用する通信システムの従来の概要構成例を図１に示す。図１に示す通信システムは、ＩＰ電話ネットワークを構成する。
【０００３】
図１に示すように、当該通信システムは、発側の拠点Ａ（電話端末等）が接続されるネットワーク（ＮＷ）である自ＮＷ１０と、着側の拠点Ｂ（電話端末等）が接続されるＮＷである対向ＮＷ２０を備える。自ＮＷ１０は、呼接続信号処理部１４及びメディアゲートウェイコントローラ（ＭＧＣ）１３を有する呼処理サーバ１１、及び、ＭＧ１５を含むＭＧ筐体１２を有する。ＭＧＣ１３とＭＧ筐体１２はメディアゲートウェイ装置制御ＩＦを介して接続される。対向ＮＷ２０内も同様の構成である。
【０００４】
図１に示す通信システムの処理の流れを説明する前に、上記のＭＧ１５やＭＧＣ１３等について説明する。
【０００５】
ＭＧＣ１３は、ＭＧ１５をメディアゲートウェイ装置制御ＩＦ（Ｈ．２４８信号等）を介して制御する側の機能又は装置である。ＭＧ１５は、対向のＮＷと通話路を確立するための機能（ＮＡＰＴ制御、ＱｏＳ制御、Ｃｏｄｅｃ変換等）を有し、ＭＧＣ１３からメディアゲートウェイ装置制御ＩＦを介して、制御指示を受け、その指示に基づき、データ送受信用ＩＦを介して受信した通話データ等のＩＰパケットに対し、処理を施し、適切な方路へ処理済ＩＰパケットを送出する機能もしくは装置である。具備する機能により複数のＭＧ種別がある（例：Ｃｏｄｅｃ変換能力の有無等）。ＭＧ筐体１２は、ＭＧ１５を収容する為の能力を有した箱である。
【０００６】
メディアゲートウェイ装置制御ＩＦは、ＭＧＣ１３からＭＧ１５に対して、指示（ＮＡＰＴ変換、ＱｏＳ制御、Ｃｏｄｅｃ変換等）をするためのＩＦの名称であり、本ＩＦは、メディアゲートウェイ装置制御信号を用いる。メディアゲートウェイ装置制御信号は、メディアゲートウェイ装置制御ＩＦで利用する為の制御信号である。データ送受信用ＩＦは、ＭＧ１５が通話路等を介して対向側から受信する通話データ（ＩＰパケット）を送受信する為のＩＦである。
【０００７】
図１の例では、ＭＧ１５が冗長構成をとることが示されている。冗長構成は、障害対策等のために、通常の運用で必要なシステム以外に予備のシステムを加え、バックアップできるようにした構成である。構成方法として、運用系と予備系で１セットの１＋１構成等がある。図１に示す例は１＋１である。
【０００８】
呼処理サーバ１１は、ＩＰ電話等を接続する為に必要な呼を接続処理する装置である。呼接続信号処理部１４は、ＩＰ電話接続をする為の呼を接続する為の制御信号（ＳＩＰプロトコル等）を処理する機能部である。接続処理により構築される通話路は、ＩＰ電話接続等をする場合に対向（相手側）ＮＷとの通話データを送受信するための路である。
【０００９】
また、ＭＧ１５の機能の１つであるＮＡＰＴ制御は、一つのグローバルなＩＰアドレスを複数の端末で共有する技術を制御することであり、例えば、ＭＧ筐体１２にＩＰアドレスを１つ持ち、そのＩＰアドレスのポート番号を使い分けることにより複数の通信対地と通信が可能となる。
【００１０】
ＱｏＳ制御は、通信品質を維持（通信帯域等）ための制御機能である。Ｃｏｄｅｃ変換は、音声通信等において、利用するコーデックを変換することである。ＩＰ電話等において音声通信を行う場合、対向側と利用するＣｏｄｅｃ（７１１μ−ｌａｗ等）を合わせる必要があり、ＭＧ１５を利用することにより自ＮＷのコーデックを対向ＮＷの利用コーデックに変換することが可能となる。
【００１１】
次に、図１に示す通信システムの動作概要として、拠点Ａ（発側）から拠点Ｂへ電話接続する場合の処理の流れを説明する。
【００１２】
拠点Ａが拠点Ｂに電話をかけると、まず、拠点Ａを収容している呼処理サーバ１１（自ＮＷ１０側）が呼制御信号を受信する。呼処理サーバ１１では、呼接続信号処理部１４で呼制御信号を処理（対向ＮＷ２０との接続を認識）し、ＭＧＣ１３からＭＧ１５へメディアゲートウェイ装置制御ＩＦを用いて対向ＮＷ２０と通話データ送受信をするための通話路の設定を指示する。ＭＧ１５は、ＭＧＣ１３から指示された内容で対向ＮＷ２０と通話路を設定する。
【００１３】
対向ＮＷ２０では、自ＮＷ１０側から呼制御信号を受信すると呼処理サーバ２１で処理を行い、ＭＧＣ２３からＭＧ２５へ自ＮＷ１０側との通話路の設定を指示する。
【００１４】
上記処理により拠点Ａ〜拠点Ｂ間の通話路の設定が完了すると、拠点Ａ及びＢは、呼処理サーバから通話可能状態に遷移した旨の接続完了通知を受領し、ＭＧ経由で通話を開始する。
【００１５】
なお、本願に関連する従来技術の例として、非特許文献１に記載されたものがある。
【先行技術文献】
【非特許文献】
【００１６】
【非特許文献１】http://www.ttc.or.jp/jp/document_list/pdf/j/STD/JT-H248.1v2.pdf、JT-H248.1、メディアゲートウェイ制御プロトコル、平成２５年２月１日検索
【発明の概要】
【発明が解決しようとする課題】
【００１７】
上述したような従来の通信システムにおいて、ＭＧＣとＭＧの基本接続形態は、１：１又は１：Ｎであり、メディアゲートウェイ装置制御ＩＦ（ＭＧＣ⇔ＭＧ間の制御用）は、ＭＧＣ側からみるとＭＧ毎に必要である。また、データ送受信用のＩＦは、ＭＧ毎に用意する必要がある。ＭＧの信頼性を高める為、冗長をとる場合のＭＧ構成は運用系と予備系で１セットの１＋１構成である。
【００１８】
ＭＧが１つの筐体に収容されており、ＭＧ増設する場合の例を図２に示す。図２に示すように、呼量や呼種の増加や対向ＮＷ側のデータ送受信用ＩＦの通信容量増に対する対応が必要な場合は、ＭＧの増設が必要となるが、その度にメディアゲートウェイ装置制御側及びデータ送受信側にＩＦの追加及び追加したＩＦを利用する為の設定追加が必要となる。
【００１９】
上記の装置を用いた従来技術には以下のような課題がある。
【００２０】
（課題１）ＭＧ筐体の能力（接続セッション数等）がＭＧＣ能力より低くてＭＧ増設したい場合、図３に示すように、ＭＧ増設の度にメディアゲートウェイ装置制御ＩＦ及びデータ送受信用ＩＦを新設する為の新設費用、回線費用、また、追加ＩＦを利用する為に必要な設定稼動が必要となる。
【００２１】
（課題２）ＭＧＣ側の能力がＭＧ筐体の能力より低くてＭＧＣを増設したい場合、図４に示すように、ＭＧに対して複数のＭＧＣを接続することができれば設備リソースの有効活用が可能となるが、現状、複数ＭＧＣから同一のＭＧを制御することができない為、設備リソースを効率的に利用できない。
【００２２】
（課題３）ＭＧの信頼性を確保する手段として冗長構成を採用する場合、図５に示すように、メディアゲートウェイ装置制御ＩＦとＭＧが括りついている為、１＋１構成しかとれない。１＋１構成はＭＧ導入費用が冗長構成をとらない場合の２倍となる。図６に示すように、Ｎ＋１構成やＮ＋Ｍ構成をとることができればコストを削減できるが、現状ではこのような構成をとることができない。
【００２３】
本発明は上記の点に鑑みてなされたものであり、ＭＧを用いた通信設備において、ＭＧ増設したい場合等にコスト削減（新設投資、回線費用等）、稼動削減（設定稼動、保守稼動等）を可能とし、更に、ＭＧ能力を十分に利用する為の設備リソースの有効活用を実現し、ＭＧ冗長構成時のコスト削減としてＮ＋１、Ｎ＋Ｍを実現することを可能とする技術を提供することを目的とする。
【課題を解決するための手段】
【００２４】
上記の課題を解決するために、本発明は、１つ又は複数のメディアゲートウェイ部を含むメディアゲートウェイ装置と、メディアゲートウェイ制御装置とを備える通信システムであって、
前記メディアゲートウェイ装置は、
前記メディアゲートウェイ制御装置からメディアゲートウェイ制御信号を受信し、当該メディアゲートウェイ制御信号の内容と、前記１つ又は複数のメディアゲートウェイ部の状態とに基づいて、１つのメディアゲートウェイ部を選択し、選択したメディアゲートウェイ部に前記メディアゲートウェイ制御信号を送信するメディアゲートウェイ振り分け手段と、
データパケットを受信したときに、当該データパケットの内容に基づいて、当該データパケットの処理を担当するメディアゲートウェイ部を選択し、選択したメディアゲートウェイ部に前記データパケットを送信するデータパケット振り分け手段とを備えることを特徴とする通信システムとして構成される。
【００２５】
前記メディアゲートウェイ振り分け手段は、例えば、利用可能なメディアゲートウェイ部の種別、及びメディアゲートウェイ毎の利用リソースの情報を保持しており、当該情報と前記メディアゲートウェイ制御信号の内容とに基づいてメディアゲートウェイ部を選択するように構成される。
【００２６】
前記データパケット振り分け手段は、例えば、メディアゲートウェイ部と、データパケットにおける所定の情報とを対応付けた管理テーブルを保持しており、前記データパケットを受信したときに、前記管理テーブルを参照することにより、当該受信したデータパケットの前記所定の情報に該当するメディアゲートウェイ部を識別し、当該メディアゲートウェイ部に前記受信したデータパケットを送信するように構成される。
【００２７】
また、前記メディアゲートウェイ装置は、メディアゲートウェイ部で処理されたデータパケットの宛先情報に基づいて、当該データパケットを適切な方路へ送出する回線集約手段を備えてもよい。
【００２８】
また、前記メディアゲートウェイ装置は、現用系のメディアゲートウェイ部と予備系のメディアゲートウェイ部を備え、前記現用系のメディアゲートウェイ部において障害が発生した場合に、前記メディアゲートウェイ振り分け手段は、当該メディアゲートウェイ部を選択候補から除外し、前記予備系のメディアゲートウェイ部を現用系に移行させ、前記データパケット振り分け手段は、障害の発生したメディアゲートウェイ部をデータパケットの処理担当候補から除外するようにしてもよい。
【００２９】
また、前記メディアゲートウェイ振り分け手段は、複数のメディアゲートウェイ制御装置と接続されるようにしてもよい。
【００３０】
また、本発明は、前記通信システムにおける前記メディアゲートウェイ装置、及び、当該メディアゲートウェイ制御装置が実行するメディアゲートウェイ振り分け方法として構成してもよい。
【発明の効果】
【００３１】
本発明によれば、ＭＧを用いた通信設備において、ＭＧ増設したい場合等にコスト削減（新設投資、回線費用等）、稼動削減（設定稼動、保守稼動等）を可能とし、更に、ＭＧ能力を十分に利用する為の設備リソースの有効活用を実現し、ＭＧ冗長構成時のコスト削減としてＮ＋１，Ｎ＋Ｍを実現することを可能とする技術が提供される。
【図面の簡単な説明】
【００３２】
【図１】従来技術を説明するための図である。
【図２】ＭＧが１つの筐体に収容されており、ＭＧ増設する場合の例を示す図である。
【図３】ＭＧ筐体の能力（接続セッション数等）がＭＧＣ能力より低くてＭＧ増設したい場合における課題を示す図である。
【図４】ＭＧＣ側の能力（接続セッション数等）がＭＧ筐体の能力より低くてＭＧＣを増設したい場合における課題を示す図である。
【図５】ＭＧの冗長構成を採用する場合の課題を示す図である。
【図６】ＭＧの冗長構成を採用する場合における望ましい構成例を示す図である。
【図７】本発明の実施の形態に係る装置構成例を示す図である。
【図８】本発明の実施の形態に係るＭＧ筐体の構成図である。
【図９】ＭＧ振り分け部の動作を説明するためのフローチャートである。
【図１０】ＭＧ振り分け部の動作を説明するための図である。
【図１１】従来の処理を説明するためのフローチャートである。
【図１２】従来の処理を説明するための図である。
【図１３】データパケット振り分け部の動作を説明するためのフローチャートである。
【図１４】データパケット振り分け部の動作を説明するための図である。
【図１５】管理テーブルの構造例を示す図である。
【図１６】従来の処理を説明するためのフローチャートである。
【図１７】従来の処理を説明するための図である。
【図１８】ＭＧ増設時の動作を説明するための図である。
【図１９】複数ＭＧＣ接続時の動作を説明するための図である。
【図２０】冗長構成時の障害対応動作を説明するための図である。
【発明を実施するための形態】
【００３３】
以下、図面を参照して本発明の実施の形態を説明する。なお、以下で説明する実施の形態は一例に過ぎず、本発明が適用される実施の形態は、以下の実施の形態に限られるわけではない。
【００３４】
（装置構成概要）
図７に、本発明の実施の形態に係る装置構成例を示す。図７は、図１に示した自ＮＷ内の構成に対応するが、本実施の形態は、ＭＧ筐体内の構成が従来技術と異なる。図７に示すように、本実施の形態に係るＭＧ筐体１００内部には、ＭＧ１２０に加えて、ＭＧ振り分け部１１０とデータパケット振り分け部１３０が備えられる。なお、複数のＭＧ１２０が示されているがＭＧ１２０は１つであってもよい。また、ＭＧ筐体をＭＧ装置（メディアゲートウェイ装置）と呼び、ＭＧをＭＧ部（メディアゲートウェイ部）と呼んでもよい。
【００３５】
ＭＧ振り分け部１１０は、ＭＧＣ１３から指示されるメディアゲートウェイ装置制御信号を一意に受信し、最適なＭＧを選択し、ＭＧへ制御信号を送信する機能を有する。データパケット振り分け部１３０は、データ送受信用ＩＦから受信した通話データ等のＩＰパケットの内容から担当している該当ＭＧを識別（抽出）し、該当ＭＧに対し、ＩＰパケットを転送する機能を有する。
【００３６】
（装置構成詳細）
図８に、本実施の形態に係るＭＧ筐体１００の構成をより詳細に示す。図８に示すように、ＭＧ筐体１００は、ＭＧ振り分け部１１０、ＭＧ１２０、装置管理部１４０、データパケット振り分け部１３０、回線集約部１５０を備える。各ＭＧ１２０は、メディアゲートウェイ装置制御信号解読部１２１、及びＩＰパケット処理部１２２を備える。ＭＧ振り分け部１１０は、コントローラ部１１２、及びメディアゲートウェイ装置制御信号振り分け部１１１を備える。以下、各機能部が有する機能を説明する。
【００３７】
ＭＧ１２０のメディアゲートウェイ装置制御信号解読部１２１は、ＭＧＣ１３からメディアゲートウェイ装置制御信号を受信し、その信号を解読（ＩＰ  ＮＡＰＴ内容、Ｃｏｄｅｃ変換の必要性、ＩＰ変換の必要性（ＩＰｖ６⇔Ｖ４）、接続方路等）し、解読内容に基づき、ＩＰパケット処理部１２２に指示を出す。尚、ＭＧ部１２０はＣｏｄｅｃ変換等の機能搭載有無によりＭＧとしての能力（ＭＧ種別）が異なる。
【００３８】
ＭＧ部１２０のＩＰパケット処理部１２２は、メディアゲートウェイ装置制御信号解読部１２１からの指示によりＩＰパケットのＮＡＰＴ／ＱｏＳ／ｃｏｄｅｃ変換処理等を行う。
【００３９】
装置管理部１４０は、ＭＧの運用管理を行う。ＭＧ振り分け部１１０のコントローラ部１１２は、利用可能なＭＧの種別、ＭＧ毎の現在の利用リソース（セッション数、利用帯域等）の情報等を記憶手段内に保持し、管理している。より詳細には、コントローラ部１１２は、収容しているＭＧの能力管理（ｃｏｄｅｃ変換能力、利用可能セッション数等）、メディアゲートウェイ装置制御ＩＦやデータ送受信用ＩＦで送受信する制御信号や通話データ（ＩＰパケット）等のトラヒック量（パケット数）の管理（輻輳対策等）、ＭＧ冗長化時のＡＣＴ−ＳＢＹ管理、接続する１ないし複数のＭＧＣの識別等を行う。
【００４０】
メディアゲートウェイ装置制御信号振り分け部１１１は、ＭＧＣ１３からメディアゲートウェイ装置制御信号を受信し、その信号を解読（ＩＰ  ＮＡＰＴ内容、Ｃｏｄｅｃ変換の必要性、ＩＰ変換の必要性（ＩＰｖ６⇔Ｖ４）、接続方路等）し（ステップＳ１）、コントローラ部１１２から利用可能なＭＧの種別、ＭＧ毎の現在の利用リソース（セッション数、利用帯域等）の情報を取得し（ステップＳ２）、ステップＳ１とステップＳ２で得た情報から必要なＭＧ種別を抽出する（ステップＳ３）。また、ステップＳ３で抽出したＭＧ種別の中に、同一のＭＧ種別のＭＧが複数ある場合、リソース使用状態情報を基に優先順位付けする（ステップＳ４）。そして、ステップＳ３、Ｓ４で抽出したＭＧ１２０へ、ステップＳ１で受信したメディアゲートウェイ装置制御信号を送出する（ステップＳ５）。
【００４１】
ステップＳ５の結果がＮＧ時、すなわち、例えば、ＭＧ１２０からの処理結果ＮＧや通信タイムアウト等によるエラー検出時等においては、エラー内容を解読し、ステップＳ３とステップＳ４の処理でＭＧ候補が複数ある場合、優先順位の次候補のＭＧに対しステップＳ１で受信したメディアゲートウェイ装置制御信号を送信する。
【００４２】
データパケット振り分け部１３０は、各ＭＧ１２０が管理しているメディアゲートウェイ装置制御情報を一元管理し、受信したデータパケット（ＩＰパケット）を解読し、一元管理情報を基に処理担当しているＭＧ１２０を抽出（選択）し、そこへ受信したデータパケット（ＩＰパケット）を転送する。データパケット振り分け部１３０は、上記一元管理のための管理テーブルを記憶手段内に保持するが、その内容については後述する。管理テーブルに関し、メディアゲートウェイ装置制御信号振り分け部１１１がＭＧ１２０を選択し、ＭＧ１２０から処理結果ＯＫが返信された時点で、新規に該当通信のデータがテーブルに追加される。
【００４３】
回線集約部１５０は、ＭＧ１２０から出力された複数の回線を集線するとともに、ＭＧで処理されたデータパケットの宛先情報を参照して、適切な方路へパケットを送出する。
【００４４】
本実施の形態における新規な機能部分であるＭＧ振り分け部１１０、及びデータパケット振り分け部１３０は、それぞれ、プログラムにより構築し、当該プログラムをＭＧ筐体内のコンピュータ上で実行することにより実現してもよいし、ハードウェア回路で実現してもよい。
【００４５】
（ＭＧ筐体における動作）
＜ＭＧ振り分け部１１０＞
次に、ＭＧ筐体１００における処理動作について、まず、ＭＧ振り分け部１１０を中心とした動作例を図９のフローチャートに沿って説明する。図１０には、図８に示した構成における処理の流れが示されており、図中のステップ番号は、図９のフローチャートにおけるステップ番号に対応する。なお、図９に示す例は、ＭＧ１２０を選択するロジックとして同種のＭＧ１２０が複数ある場合、リソース使用量が一番少ないＭＧ１２０から優先順位付けする場合の例である。
【００４６】
ステップＳ１１）呼処理サーバ１１が呼制御信号を受信する。
【００４７】
ステップＳ１２）ＭＧＣ１３が呼制御信号の内容に基づきＭＧ筐体１００へ指示を送信する。本例では、当該呼制御信号は通信を開始するための信号であり、ＭＧＣ１３が通信を開始する為のメディアゲートウェイ装置制御信号をＭＧ筐体１００に対し送信（指示）する。なお、従来技術では、ＭＧ１２０毎にＩＦアドレスが分かれており、ＭＧＣ１３が利用するＭＧ１２０を選択して指示を行うが、本発明に係る技術では、ＭＧＣ１３はＭＧ１２０を選択しないため、ＭＧ筐体１００宛に指示を送信する。
【００４８】
ステップＳ１３）ＭＧ振り分け部１１０におけるメディアゲートウェイ装置制御信号振り分け部１１１が、ＭＧＣ１３からのメディアゲートウェイ装置制御信号を受信する。
【００４９】
ステップＳ１４）メディアゲートウェイ装置制御信号振り分け部１１１は、メディアゲートウェイ装置制御信号を解読する。解読により、例えば、ＩＰ  ＮＡＰＴ内容、Ｃｏｄｅｃ変換の必要性、ＩＰ変換の必要性（ＩＰｖ６⇔Ｖ４）、接続方路等の情報を得る。
【００５０】
ステップＳ１５）メディアゲートウェイ装置制御信号振り分け部１１１は、コントローラ部１１２に対し収容ＭＧ１２０の利用状態及び利用可能能力の情報を問合せ、コントローラ部１１２は、当該問合せに対して、収容ＭＧ１２０の利用状態及び利用可能能力を回答する。これにより、メディアゲートウェイ装置制御信号振り分け部１１１は、収容ＭＧ１２０の利用状態及び利用可能能力を取得する。利用状態及び利用可能能力は、より具体的には、例えば、ＭＧ１２０毎の現在の利用リソース（セッション数、利用帯域等）及び利用可能なＭＧ１２０の種別である。
【００５１】
ステップＳ１６）ステップＳ１５において、ＭＧ情報の取得がＮＧであった場合、エラー処理を行う。
【００５２】
ステップＳ１７）ステップＳ１５において、ＭＧ情報の取得がＯＫであった場合、メディアゲートウェイ装置制御信号振り分け部１１１は、ステップＳ１５で取得した情報とステップＳ１３で受信した信号の中身を解読し、ＭＧ１２０を選択する為に必要な情報を基に、最適なＭＧ１２０を選択する。例えば、メディアゲートウェイ装置制御信号が示すＩＰ  ＮＡＰＴ、Ｃｏｄｅｃ変換、ＩＰ変換等を実行できる種別であって、リソースに空きがあるＭＧを選択する。本例では、同種のＭＧ１２０が複数ある場合を想定しているので、ここでは、同種の複数のＭＧ候補が選択される。当該複数のＭＧ１２０を、リソース使用量が一番少ないＭＧ１２０から優先順位付けする。
【００５３】
ステップＳ１８）メディアゲートウェイ装置制御信号振り分け部１１１は、優先順位が高いＭＧを選択する。なお、第１候補がＮＧ時は次候補を選択する。
【００５４】
ステップＳ１９）メディアゲートウェイ装置制御信号振り分け部１１１は、ステップＳ１８にて選択されたＭＧ１２０へ、ステップＳ１３で受信したメディアゲートウェイ装置制御信号を送出する。
【００５５】
ステップＳ２０）ＭＧ１２０のメディアゲートウェイ装置制御信号解読部１２１は、受信した信号の中身を解読し、ＩＰパケット処理部１２２に処理指示を出す。ここでの解読により、ＩＰ  ＮＡＰＴ内容、Ｃｏｄｅｃ変換の必要性、ＩＰ変換の必要性（ＩＰｖ６⇔Ｖ４）、接続方路等の解読内容が得られ、それに基づきＩＰパケット処理部１２２に処理指示を出す。
【００５６】
ステップＳ２１）ＩＰパケット処理部１２２は、ステップＳ２０で受けた指示に基づき。データ送受信用ＩＦから受信したデータパケットの処理方法（ＮＡＰＴ等）を内部設定する。
【００５７】
ステップＳ２２）設定がＯＫであれば、メディアゲートウェイ装置制御信号処理完了をＭＧＣ１３へ通知する。より詳細には、ＩＰパケット処理部１２２は、ステップＳ２０で受けた指示の実行結果（ＯＫ／ＮＧ）をメディアゲートウェイ装置制御信号解読部１２１へ通知し、メディアゲートウェイ装置制御信号解読部１２１は、当該実行結果をＭＧ振り分け部１１０へ通知し、ＭＧ振り分け部１１０が実行結果をＭＧＣへ送信する。なお、実行結果ＮＧ時は、当該実行結果を受け取ったメディアゲートウェイ装置制御信号振り分け部１１１は、次候補のＭＧ１２０が存在する場合、そのＭＧ１２０へメディアゲートウェイ装置制御信号を送出する。
【００５８】
ステップＳ２３）装置管理部１４０はＭＧ１２０の運転中状態を管理しているので、コントローラ部１１２は定期的に装置管理部１４０から筐体内に実装されているＭＧ１２０の運転状態を収集する。
【００５９】
ここで、比較のために、図１１に従来の呼制御処理手順を示す。また、図１２に従来のＭＧ筐体１００の構成における図１１の各ステップを示す。図１１、図１２に示すように、従来のＭＧ筐体１００では、ＭＧ振り分けの処理は行われず、ＭＧＣ１３がＭＧ１２０を選択して指示を行う。
【００６０】
＜データパケット振り分け部１３０＞
次に、ＭＧ筐体１００における処理動作について、データパケット振り分け部１３０を中心とした動作例を図１３のフローチャートに沿って説明する。また、図１４には、ＭＧ筐体１００の構成における処理の流れが示されており、図中のステップ番号は、図１３のフローチャートにおけるステップ番号に対応する。
【００６１】
ステップＳ４１）ＭＧＣ１３からのメディアゲートウェイ装置制御信号の内容に基づき、  ＭＧ筐体１００内部の処理設定が完了しているものとする。
【００６２】
ステップＳ４２）回線集約部１５０が、データ送受信用ＩＦから呼制御信号、通話路信号等のデータパケット（ＩＰパケット）を受信し、受信したデータパケット（ＩＰパケット）をデータパケット振り分け部１３０へ送信する。
【００６３】
ステップＳ４３）データパケット振り分け部１３０は、受信したデータパケット（ＩＰパケット）を解読し、当該データパケットの処理を担当しているＭＧ１２０を管理テーブルにおける情報を参照して抽出する。
【００６４】
ステップＳ４４）ステップＳ４３において、処理を担当しているＭＧ１２０が存在しなかった場合、エラー処理を行う。
【００６５】
ここで、データパケット振り分け部１３０が保持する管理テーブルの構造の例を図１５に示す。図１５に示すように、管理テーブルは、データ送受信用ＩＦから受信するＩＰパケットのＤＡ／ＤＰ／ＳＡ／ＳＰ／ＰＴ情報（５ｔｕｐｌｅ）等から処理担当するＭＧ１２０を識別できる構造となる。５ｔｕｐｌｅ情報はＭＧ筐体１００内で一意に識別可能である。これにより、例えば、データパケット振り分け部１３０は、データ送受信用ＩＦから受信したＩＰパケットのＤＡ／ＤＰ／ＳＡ／ＳＰ／ＰＴ情報（５ｔｕｐｌｅ）がアドレスＡ／ＴＣＰ／アドレスＤＤであることを判別すると、管理テーブルを参照することで、処理担当ＭＧが「ＭＧ２」であると識別することができる。
【００６６】
なお、管理テーブルの更新タイミングに関し、ＭＧ番号とデータパケット（ＩＰパケット）を識別する為の情報は、ＭＧ振り分け部１１０がＭＧ１２０を選択し、該当ＭＧ１２０の通信準備が完了した時点で更新される。また、通信が終了し、該当ＭＧ１２０のリソースが開放された時点でも更新される。以下、図１３（図１４）に戻り説明を行う。
【００６７】
ステップＳ４５）データパケット振り分け部１３０は、ステップＳ４３で抽出したＭＧ１２０に対し、ステップＳ４２で受信したデータパケット（ＩＰパケット）を送信する。
【００６８】
ステップＳ４６）データパケット（ＩＰパケット）を受信したＭＧ１２０のＩＰパケット処理部１２１は、当該データパケット（ＩＰパケット）に対し、必要な処理（ＮＡＰＴやｃｏｄｅｃ変換処理など）を実施する。
【００６９】
ステップＳ４７）処理されたデータパケット（ＩＰパケット）は適切な方路へ転送される。より詳細には、ＭＧ１２０が、ＩＰパケット処理部１２２で処理したデータパケット（ＩＰパケット）を回線集約部１５０へ送信し、回線集約部１５０が当該データパケット（ＩＰパケット）を目的の方路へ送信する。なお、図１４は、内部側へ送信する場合の例を示している。
【００７０】
ここで、比較のために、図１６に従来のＭＧ処理手順を示す。また、図１７に従来のＭＧ筐体の構成における図１６の各ステップを示す。図１６、図１７に示すように、従来のＭＧ筐体１００では、ＭＧ１２０がデータパケット（ＩＰパケット）を直接受信する。一方、本発明に係る技術では、回線集約部１５０がデータパケット（ＩＰパケット）を受信する。また、従来では、ＭＧ１２０が目的の方路に対し、直接処理済のデータパケット（ＩＰパケット）を送信している。一方、本発明に係る技術では、回線集約部１５０が目的の方路に対し、処理済のデータパケット（ＩＰパケット）を送信する。
【００７１】
（適用例１）
ＭＧ１２０のリソース不足やｃｏｄｅｃ変換能力の新規追加対応を実施する場合、ＭＧ１２０の増設対応が必要だが、本実施の形態の技術を利用すれば、ＭＧ増設時でもＩＦ増設、設定稼動なしで能力増が可能となる。本実施の形態のＭＧ筐体１００を利用した場合におけるＭＧ増設時の動作例を図１８を参照して説明する。
【００７２】
図１８は、１つのＭＧ１２０を増設する場合を示している。この場合、ＭＧ振り分け部１１０が増設ＭＧ１２０の能力（利用可能リソース量、メディア変換能力など）を自動認識、又はオペレータが能力を手動で登録する。これにより、ＭＧ振り分け部１１０が、増設されたＭＧ１２０を振り分け対象ＭＧとして扱う。
【００７３】
増設後は、これまでに説明したとおり、ＭＧ振り分け部１１０が、ＭＧＣ１３から新規リソース割り当て指示（接続要求）を受信した場合、指示内容に基づいた該当能力を有したＭＧ１２０を抽出する。
【００７４】
データパケット振り分け部１３０は、ＭＧ１２０が増設され、運用状態であることを認識した後、ＭＧ１２０の管理テーブルに増設ＭＧ１２００を追加する。そして、データパケット振り分け部１３０は、データ送受信用ＩＦから受信したデータパケット（ＩＰパケット）の処理を担当するＭＧ１２０を、増設されたＭＧ１２０を含むＭＧ１２０の中から抽出する動作を行う。
【００７５】
（適用例２）  
呼制御側（ＭＧＣ）が（ユーザ増などで）リソース不足となった場合、ＭＧＣ増設対応が必要だが、本実施の形態に係る技術を利用すれば、ＭＧＣ⇔ＭＧ間のＩＦ追加と従来より少ない工事稼動（データ送受信用ＩＦ追加不要）で増設対応が可能となる。本実施の形態に係るＭＧ筐体１００を利用した場合において、増設ＭＧＣを利用するまでの動作を図１９を参照して説明する。
【００７６】
ＭＧＣ１３が増設される場合、ＭＧ振り分け部１１０の中のコントローラ部１１２にＭＧＣ１３間とのＩＦ増設の設定を行う。これにより、ＭＧ振り分け部１１０は、複数のＭＧＣと接続可能となる。この設定がなされれば、増設ＭＧＣ１３からの新規リソース割り当て指示（接続要求）に対して、既設ＭＧＣ１３からの接続要求と同様に図９に示した手順でＭＧ振り分け処理を行うことができる。
【００７７】
（適用例３）
ＭＧ機能の信頼性確保を目的とした冗長化をする場合、従来は１＋１構成であるが、本実施の形態に係る技術を利用すれば、Ｎ＋１構成、Ｎ＋Ｍ構成が可能となる。障害が発生して冗長ＭＧ（ＳＢＹ系）を利用するまでの動作について図２０を参照して説明する。図２０は、Ｎ＋１冗長構成時（ＡＣＴ系２つ、ＳＢＹ系１つ）の例である。
【００７８】
ＭＧ振り分け部１１０が、通信のタイムアウトや内部装置状態を監視する装置管理部１４０から障害通知を受信する等によりＡＣＴ系のＭＧ１２０の障害を検出すると、ＭＧ選択候補から障害ＭＧを除外し、同時に予備であるＭＧ（ＳＢＹ系）をＡＣＴ系に移行させる。
【００７９】
ＭＧ振り分け部１１０は、新ＡＣＴ系となったＭＧ１２０を、ＭＧＣ１３からの新規リソース割り当て指示（接続要求）に対する振り分け対象のＭＧとして扱う。
【００８０】
一方、データパケット振り分け部１３０は、通信のタイムアウトや内部装置状態を監視する装置管理部１４０から障害通知を受信する等によりＡＣＴ系のＭＧ１２０の障害を検出すると、データ送受信用ＩＦから受信したデータパケット（ＩＰパケット）処理を担当するＭＧの管理テーブルから該当のＭＧを除外する。これにより、障害となったＭＧは選択されなくなる。
【００８１】
（まとめ、効果）
これまでに説明したように、本実施の形態に係る技術では、ＭＧ筐体内に複数のＭＧを収容時に各ＭＧの状態に応じて最適のＭＧを選択するため、また、１つのＭＧで複数のＭＧＣを接続し設備リソースを有効活用する為にＭＧ振り分け部１１０を導入した。更に、ＭＧ筐体が受信した通話データ（ＩＰパケット）を複数の収容ＭＧの中から処理担当するＭＧ（ＭＧ振り分け部１１０が選択したＭＧ）へ的確に振り分ける（送信する）ためにデータパケット振り分け部１３０を導入した。
【００８２】
このような機能部を備えたことにより、以下の効果を奏する。
【００８３】
（１）、ＭＧ増設による費用削減（新設投資、工事稼動）、増設装置を利用するために必要な設定稼動の削減を実現できる。
【００８４】
（２）ＭＧに対し複数のＭＧＣを接続できることにより設備リソースの有効活用が可能となる。
【００８５】
（３）複数ＭＧ収容時に冗長構成（Ｎ＋１、Ｎ＋Ｍ）が実現可能となるので、冗長化時の費用（ＭＧ設備投資、設定稼動）の削減が実現できる。
【００８６】
本発明は、上記の実施の形態に限定されることなく、特許請求の範囲内において、種々変更・応用が可能である。
【符号の説明】
【００８７】
１３  メディアゲートウェイコントローラ
１００  ＭＧ筐体
１１０  ＭＧ振り分け部
１２０  ＭＧ
１３０  データパケット振り分け部
１４０  装置管理部
１５０  回線集約部
１１１  メディアゲートウェイ装置制御信号振り分け部
１１２  コントローラ部
１２１  メディアゲートウェイ装置制御信号解読部
１２２  ＩＰパケット処理部
【図１】
2014155013.tif 000003
【図２】
2014155013.tif 000004
【図３】
2014155013.tif 000005
【図４】
2014155013.tif 000006
【図５】
2014155013.tif 000007
【図６】
2014155013.tif 000008
【図７】
2014155013.tif 000009
【図８】
2014155013.tif 000010
【図９】
2014155013.tif 000011
【図１０】
2014155013.tif 000012
【図１１】
2014155013.tif 000013
【図１２】
2014155013.tif 000014
【図１３】
2014155013.tif 000015
【図１４】
2014155013.tif 000016
【図１５】
2014155013.tif 000017
【図１６】
2014155013.tif 000018
【図１７】
2014155013.tif 000019
【図１８】
2014155013.tif 000020
【図１９】
2014155013.tif 000021
【図２０】
2014155013.tif 000022